(57)【要約】【課題】組立のばらつき等に影響をされることがなく、吸入グリルの収納を確実に検知することができる昇降装置を備えた空気調和機を提供すること。【解決手段】本発明の空気調和機は、吸込フィルターを保持する吸入グリルが昇降可能に構成された空気調和機であって、前記吸入グリルが収納したことを検知するリミットスイッチを備え、前記リミットスイッチは、前記吸入グリルが昇降する際に開閉するレバー１９は開く方向に湾曲する湾曲部２１を有する。【選択図】図１
2012112628.tif 000002
【特許請求の範囲】
【請求項１】
吸込フィルターを保持する吸入グリルが昇降可能に構成された空気調和機であって、前記吸入グリルが収納したことを検知するリミットスイッチを備え、前記リミットスイッチは、前記吸入グリルが昇降する際に開閉するレバーは開く方向に湾曲する湾曲部を有することを特徴とする空気調和機。
【請求項２】
前記吸入グリルの収納を検知した後に、前記吸入グリルが再び下降する再下降運転を行い、再下降運転の停止後、さらに再上昇する再上昇運転を行うことを特徴とする請求項１に記載の空気調和機。
【請求項３】
前記吸入グリルの再下降運転時間よりも、再上昇運転時間の方が長いことを特徴とする請求項２に記載の空気調和機。
【発明の詳細な説明】
【技術分野】
【０００１】
本発明は吸入フィルターの清掃を容易にする昇降装置を備えた空気調和機に関するものである。
【背景技術】
【０００２】
従来、この種の空気調和機の吸入フィルターのメンテナンスにおいて、脚立などに上がって高所で作業する危険および手間を無くすための方策がいくつか考案されている（例えば、特許文献１参照）。
【０００３】
図７は、従来の空気調和機の縦断面図、図８は従来の空気調和機のリミットスイッチ取り付け図、図９は従来の空気調和機のリミットスイッチレバー動作位置を示した図である。図７〜図９を用いて従来の空気調和機の構成について説明する。
【０００４】
まず、天井１内に埋設された室内ユニット本体２の内部に、熱交換器３、ドレンパン４、送風機５、ファンモーター６等が配置され、室内ユニット本体２の下部開口を覆う化粧パネル７が着脱自在に装着されている。そして化粧パネル７の中央部には吸入口８が形成され、この吸入口８の両側には吹出口９が形成されている。吸入口８には吸入グリル１０が嵌合され、その背後には吸入フィルター１１が着脱自在に係止されている。
【０００５】
化粧パネル７の内壁に取り付けられたブラケット１２には、正逆回転可能なモーター１３が固定されており、モーター１３の近傍にワイヤー１４を巻き取るためのリール１５が取り付けられている。ワイヤー１４の先端にはワイヤーフック１６が取り付けられており、吸入グリル１０に連結される。
【０００６】
ワイヤーフック１６はリール１５に巻きつけられているワイヤー１４のほぼ真下に配置されている。さらにブラケット１２には吸入グリル１０の収納を検知するためのリミットスイッチ１７が取り付けられている。
【０００７】
このように構成された空気調和機において、吸入フィルター１１を清掃する場合には、モーター１３を逆回転させる。そして、リール１５からワイヤー１４が巻き戻されて吸入グリル１０がほぼ水平状態のまま所定の高さに降下したときモーター１３を停止させる。
【０００８】
この状態で床上の作業者が吸入グリル１０から吸入フィルター１１を取り外してこれを清掃する。清掃が終了すれば、吸入フィルター１１を吸入グリル１０に再び取り付け、モーター１３を正回転させることによりリール１５がワイヤー１４を巻き取る。
【０００９】
そして、吸入グリル１０が上昇して化粧パネル７の吸入グリル収納部１８に到達後、さらに上昇すると吸入グリル１０の内面がリミットスイッチ１７に設けられているレバー１９に接触する。
【００１０】
さらに吸入グリル１０が上昇することにより、レバー１９がリミットスイッチ１７の下部に設けられているスイッチ２０を押さえる。スイッチ２０を押さえることで吸入グリル１０の収納が完了の信号が発信され、吸入グリル１０の収納動作が完了する。
【先行技術文献】
【特許文献】
【００１１】
【特許文献１】特開２００５−１５６０８３号公報
【発明の概要】
【発明が解決しようとする課題】
【００１２】
しかしながら、前記従来の構成では、リミットスイッチ１７に設けられているレバー１９のストロークが小さいので、リミットスイッチ１７の配置に対して余裕度を設けることができず、組立等のばらつきにより、吸入グリル１０が完全に吸入グリル収納部１８の所定の位置に収まったにもかかわらず、リミットスイッチ１７からの停止信号が発信されず、モーター１３が正回転し続け、最終的には機器エラーが発生して停止したり、モーター１３が過負荷運転を続けることでモーター１３が故障してしまう場合があるという課題を有していた。
【００１３】
本発明は、前記従来の課題を解決するもので、組立のばらつき等に影響をされることがなく、吸入グリルの収納を確実に検知することができる昇降装置を備えた空気調和機を提供することを目的とする。
【課題を解決するための手段】
【００１４】
前記従来の課題を解決するために、本発明の空気調和機は、吸込フィルターを保持する吸入グリルが昇降可能に構成された空気調和機であって、前記吸入グリルが収納したことを検知するリミットスイッチを備え、前記リミットスイッチは、前記吸入グリルが昇降する際に開閉するレバーは開く方向に湾曲する湾曲部を有することにより、組立のばらつき等に影響をされることがなく、吸入グリルの収納を確実に検知することができる。
【発明の効果】
【００１５】
本発明は、組立のばらつき等に影響をされることがなく、吸入グリルの収納を確実に検知することができる昇降装置を備えた空気調和機を提供することができる。
【図面の簡単な説明】
【００１６】
【図１】本発明の実施の形態１における空気調和機の断面構成図
【図２】同実施の形態１における空気調和機の要部構成図
【図３】同実施の形態１における空気調和機の要部構成図
【図４】同実施の形態１における空気調和機の要部構成図
【図５】同実施の形態１における空気調和機の昇降動作フロー図
【図６】本発明の実施の形態２における空気調和機の昇降動作フロー図
【図７】従来の空気調和機の断面構成図
【図８】従来の空気調和機の要部構成図
【図９】従来の空気調和機の要部構成図
【発明を実施するための形態】
【００１７】
第１の発明の空気調和機は、吸込フィルターを保持する吸入グリルが昇降可能に構成された空気調和機であって、前記吸入グリルが収納したことを検知するリミットスイッチを備え、前記リミットスイッチは、前記吸入グリルが昇降する際に開閉するレバーは開く方向に湾曲する湾曲部を有することにより、組立のばらつき等に影響をされることがなく、吸入グリルの収納を確実に検知することができる。
【００１８】
第２の発明の空気調和機は、特に第１の発明において、吸入グリルの収納を検知した後に、吸入グリルが再び下降する再下降運転を行い、再下降運転の停止後、さらに再上昇する再上昇運転を行うことにより、吸入グリルの収納を確実に実施することができる。
【００１９】
第３の発明の空気調和機は、特に第２の発明において、吸入グリルの再下降運転時間よりも、再上昇運転時間の方が長いことにより、吸入グリルの収納を確実に実施することが
できる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における空気調和機の縦断面図を示すものである。また、図２はリミットスイッチ取り付け図を示すものである。また図３は昇降動作完了図を示すものである。また図４はリミットスイッチ動作位置図を示すものである。
【００２２】
図１〜図４において、天井１内に埋設された室内ユニット本体２の内部に、熱交換器３、ドレンパン４、送風機５、ファンモーター６等が配置され、この室内ユニット本体２にはその下部開口を覆う化粧パネル７が着脱自在に装着されている。
【００２３】
化粧パネル７の中央部には吸入口８が形成され、この吸入口８の両側には吹出口９が形成されている。吸入口８には吸入グリル１０が嵌合され、その背後には吸入フィルター１１が着脱自在に係止されている。化粧パネル７内に構成されているブラケット１２には、正逆回転可能なモーター１３が固定されており、吸入グリル１０の昇降装置を構成する。
【００２４】
吸入フィルター１１の清掃の際には、吸入グリル１０を下降させ、清掃終了後、再度吸入フィルター１１を吸入グリル１０に装着させ、吸入グリル１０を吸入グリル収納部１８に収納させる。
【００２５】
以上のように構成された空気調和機について、以下その動作、作用を説明する。
【００２６】
まず、吸入グリル１０を上昇させるためにモーター１３が駆動し、リール１５を回転させて、ワイヤー１４をリール１５に巻き取る動作となる。吸入グリル１０が上昇し、化粧パネル７内に構成されている吸入グリル収納部１８に接近する。
【００２７】
化粧パネル７内に構成されたブラケット１２には吸入グリル１０の収納を検知するためのリミットスイッチ１７が取り付けられている。吸入グリル１０の上昇により、リミットスイッチ１７に取り付けられているレバー１９に吸入グリル１０が接触する。更なる吸入グリル１０の上昇により、レバー１９が押されて、リミットスイッチ１７に設置されているスイッチ２０を押さえる。
【００２８】
スイッチ２０が押されたことを検知することで、吸入グリル１０が収納されたことを検知するようになっている。リミットスイッチ１７に取り付けられているレバー１９の形状が直線形状ではなく、湾曲部２１を要した形状となっている。
【００２９】
さらにレバー１９の材質にバネ材を用いている。吸入グリル１０がレバー１９と接触後、吸入グリル１０の上昇によりレバー１９が押されてスイッチ２０が入る。スイッチ２０が入った後、レバー１９の湾曲部２１が直線形状になるように変形することにより、スイッチ２０が入ってからも吸入グリル１０が上昇することができるようになる。
【００３０】
さらにレバー１９の材質をバネ材とすることにより、吸入グリル１０が下降した際にはレバー１９は元の湾曲形状に戻ることができる。従ってリミットスイッチ１７の取り付け位置が組立等で多少ばらついても吸入グリル１０の吸入グリル収納部１８への収納を検知しやすくなる。
【００３１】
以上のように、本実施の形態においては、化粧パネル内に構成されているブラケットに
吸入グリルの吸入収納部への収納を検知するものとして高ストロークタイプのリミットスイッチを配置することにより、組立のばらつき等に影響をされることがなく、吸入グリルの収納を確実に検知することができる。
【００３２】
図５は、同実施の形態１における空気調和機の昇降動作フロー図を示すものである。
【００３３】
図５において、吸入グリル１０の上昇により、リミットスイッチ１７が検知した後の吸入グリル１０の動作は、リミットスイッチ１７検知後さらに数秒吸入グリル１０は上昇を続ける。
【００３４】
そして数秒後、一旦吸入グリル１０は停止する。停止後、吸入グリル１０は数秒間下降する。数秒間下降後、吸入グリル１０は停止し、再度上昇する。吸入グリル１０の上昇中に再度リミットスイッチ１７が検知をする。
【００３５】
検知後数秒間吸入グリル１０は上昇を続け、数秒後に停止して昇降動作を完了する。万が一、吸入グリル１０が傾いて上昇しても再度リミットスイッチ１７検知後に数秒上昇することにより吸入グリル１０の傾きがほぼ補正される。
【００３６】
さらに吸入グリル１０の下降・再上昇動作を行うことで、より吸入グリル１０が所定の位置に収納されやすくなる。
【００３７】
以上のように、本実施の形態においては吸入グリルの収納検知後、吸入グリルが再下降し、停止後再上昇することにより、吸入グリルの収納を確実に実施することができる。
【００３８】
（実施の形態２）
図６は、本発明の実施の形態２における空気調和機の昇降動作フロー図である。
【００３９】
図６において、リミットスイッチ１７が検知した後の吸入グリル１０の動作はリミットスイッチ１７検知後さらに数秒吸入グリル１０は上昇を続ける。数秒後一旦吸入グリル１０は停止する。
【００４０】
停止後、吸入グリル１０は数秒間下降する。数秒間下降後、吸入グリル１０は停止し、再度上昇する。吸入グリル１０の上昇中に再度リミットスイッチ１７が検知をする。検知後数秒間吸入グリル１０は上昇を続け、数秒後に停止して昇降動作を完了する。吸入グリル１０が再度上昇する際、下降時間よりも長い時間上昇させている。
【００４１】
万が一、吸入グリル１０が傾いて上昇しても再度リミットスイッチ１７検知後に数秒上昇することにより吸入グリル１０の傾きがほぼ補正される。さらに吸入グリル１０の下降・再上昇動作を行い、かつ下降時間よりも上昇時間の方が長いため、吸入グリル１０の傾きがさらに補正されることになり、吸入グリル１０が所定の位置に収納されやすくなる。
【００４２】
以上のように、吸入グリルの再下降時間よりも再上昇時間の方が長くすることにより、吸入グリルの収納を確実に実施することができる。
【産業上の利用可能性】
【００４３】
以上のように、本発明にかかる空気調和機は、化粧パネル内に構成されているブラケットに吸入グリルの吸入収納部への収納を検知するものとして高ストロークタイプのリミットスイッチを配置することにより、組立のばらつき等に影響をされることがなく、吸入グリルの収納を確実に検知することが可能となるので、リミットスイッチを使用しているエアコン以外の製品にも適用できる。
【符号の説明】
【００４４】
１  天井
２  室内ユニット本体
３  熱交換器
４  ドレンパン
５  送風機
６  ファンモーター
７  化粧パネル
８  吸入口
９  吹出口
１０  吸入グリル
１１  吸入フィルター
１２  ブラケット
１３  モーター
１４  ワイヤー
１５  リール
１６  ワイヤーフック
１７  リミットスイッチ
１８  吸入グリル収納部
１９  レバー
２０  スイッチ
２１  湾曲部
【図１】
2012112628.tif 000003
【図２】
2012112628.tif 000004
【図３】
2012112628.tif 000005
【図４】
2012112628.tif 000006
【図５】
2012112628.tif 000007
【図６】
2012112628.tif 000008
【図７】
2012112628.tif 000009
【図８】
2012112628.tif 000010
【図９】
2012112628.tif 000011